(57)【要約】【課題】リュックサックを背中に背負ったり、背中から降ろす場合の操作性を向上し、かつリュックサック本体の身体全体への密着度を軽減するとともに、乗り物に乗る際の不具合を防止する。【解決手段】リュックサックを背中に背負うための肩掛け装着具であって、金属又はプラスチックのような形状が維持できる素材で形成され、リュックサックの背中側に付着する肩掛け固定部と肩掛け固定部を共通にして、共通にした肩掛け固定部の上端から左右２つに分かれ、上方に延びてから前方に湾曲し更に下方へ折れ曲がる逆Ｕ字形の肩掛けフック部とからなり、逆Ｕ字形の肩掛けフック部の頂点部分を使用者の肩に載置してリュックサックを背負う肩掛け装着具において、肩掛けフック部は、逆Ｕ字形の頂点部分と先端部分の２ヵ所で切断し、切断した両者を蝶番により内側に折れ曲がるようにして接合したことを特徴とする。【選択図】図９
2018079328.tif 000002
【特許請求の範囲】
【請求項１】
リュックサックを背中に背負うための肩掛け装着具であって、金属又はプラスチックのような形状が維持できる素材で形成され、リュックサックの背中側に付着する肩掛け固定部と前記肩掛け固定部を共通にして、共通にした肩掛け固定部の上端から左右２つに分かれ、上方に延びてから前方に湾曲し更に下方へ折れ曲がる逆Ｕ字形の肩掛けフック部とからなり、前記逆Ｕ字形の肩掛けフック部の頂点部分を使用者の肩に載置してリュックサックを背負う肩掛け装着具において、前記肩掛けフック部は、前記逆Ｕ字形の頂点部分と先端部分の２ヵ所で切断し、切断した両者を蝶番により内側に折れ曲がるようにして接合したことを特徴とするリュックサックの肩掛け装着具。
【発明の詳細な説明】
【技術分野】
【０００１】
本発明は、リュックサックを背中に背負うための背負いベルトを改良したリュックサックの肩掛け装着具に関する。
【背景技術】
【０００２】
一般に、登山、旅行などに使用されるリュックサックは、荷物を収納するリュックサック本体とリュックサック本体に付着し、使用者の肩などにかけられる左右の背負いベルトで構成される。左右の背負いベルトは、使用者が肩にかけ易いように長さが調節でき、両端がリュックサック本体の上下別々に固定されている。
【０００３】
このリュックサック本体に重い荷物が収納されると、肩と胸が後に引っ張られ、肩と胸に強い圧迫感があり、疲労の原因となる。また、時間が経つにつれ背面の荷物部分が下方に引っ張られ、リュックサック本体がズリ落ちていく。それを解消するためにウェストベルトで腰を締め、リュックサック本体が下方にズリ落ちていくのを防止することができる（特許文献１参照）。
【０００４】
一方、背負いベルト（肩ひも）の上部をハンガーループ状のチューブで構成し、使用者がチューブの内部に空気を注入してハンガーループが形成されると、リュックサックを使用者の肩に固定させ、リュックサックが後ろへずり落ちないように支持し、重量感の緩和と疲労を防止することができる（特許文献２参照）。
【先行技術文献】
【特許文献】
【０００５】
【特許文献１】特開平８−１３１２５６号公報
【特許文献２】特表２０１３−５３７４５８号公報
【発明の開示】
【発明が解決しようとする課題】
【０００６】
しかしながら、特許文献１に開示されたリュックサックは、背負いベルトの長さを調節することで疲労の原因は軽減されるが、背負いベルトの長さを必要以上に短くしてしまうと、リュックサックを背負う際の、腕を後に掛け回す動作がし難くなり、腕や肩に障害或いは怪我がある人は背負う操作が行いにくいという不具合があった。
【０００７】
また、特許文献２に開示されたリュックサックは、ハンガーループ状のチューブの内部に空気を注入することにより、重量感の緩和と疲労を防止することはできるが、チューブの材質や構造上の原因で背負う重量が重くなった場合にチューブ自体が変形して本来の機能が損なわれる問題があり、そのために実用範囲も限定され、また、電車、飛行機等へ搭乗、降車する際にチューブ内の空気の排出と吸入をする必要があり煩わしいという不具合があった。
【０００８】
本発明は、これらの不具合に鑑み、新規な発想によりなされたものであり、リュックサックを背中に背負ったり、背中から降ろす場合の操作性を向上し、かつリュックサック本体の身体全体への密着度を軽減するとともに、乗り物に乗る際の不具合を防止することを目的とする。
【課題を解決するための手段】
【０００９】
上記目的を達成するため、本発明の請求項１は、リュックサックを背中に背負うための肩掛け装着具であって、金属又はプラスチックのような形状が維持できる素材で形成され、リュックサックの背中側に付着する肩掛け固定部と肩掛け固定部を共通にして、共通にした肩掛け固定部の上端から左右２つに分かれ、上方に延びてから前方に湾曲し更に下方へ折れ曲がる逆Ｕ字形の肩掛けフック部とからなり、逆Ｕ字形の肩掛けフック部の頂点部分を使用者の肩に載置してリュックサックを背負う肩掛け装着具において、肩掛けフック部は、逆Ｕ字形の頂点部分と先端部分の２ヵ所で切断し、切断した両者を蝶番により内側に折れ曲がるようにして接合したことを特徴とするものである。
【発明の効果】
【００１０】
本発明によれば、リュックサックを背中に背負うための肩掛け装着具であって、金属又はプラスチックのような形状が維持できる素材で形成され、リュックサックの背中側に付着する肩掛け固定部と肩掛け固定部を共通にして、共通にした肩掛け固定部の上端から左右２つに分かれ、上方に延びてから前方に湾曲し更に下方へ折れ曲がる逆Ｕ字形の肩掛けフック部とからなり、逆Ｕ字形の肩掛けフック部の頂点部分を使用者の肩に載置してリュックサックを背負う肩掛け装着具において、肩掛けフック部は、逆Ｕ字形の頂点部分と先端部分の２ヵ所で切断し、切断した両者を蝶番により内側に折れ曲がるようにして接合したので、リュックサックを背中に背負ったり、背中から降ろす場合の操作性を向上することが出来るとともに、乗り物に乗る際の不具合を防止することが出来る。
【図面の簡単な説明】
【００１１】
【図１】本発明の肩掛け装着具の第一実施例を示した斜視図である。
【図２】本発明の肩掛け装着具の第二実施例を示した斜視図である。
【図３】本発明の肩掛け装着具の第三実施例を示した斜視図である。
【図４】図１に示した肩掛け装着具を背中に密着しない構造とした斜視図である。
【図５】図３に示した肩掛け装着具を連結して間隔を調整可能にした一実施例の斜視図である。
【図６】図３に示した肩掛け装着具を連結して間隔を調整可能にした他の実施例の斜視図である。
【図７】本発明の肩掛け装着具の肩掛けフック部のホックを用いた収納例を示し、（ａ）は収納前、（ｂ）は肩掛けフック部を横向きに回転させた収納後の斜視図である。
【図８】本発明の肩掛け装着具の肩掛けフック部の嵌合部を用いた収納例を示し、（ａ）は収納前、（ｂ）は肩掛けフック部を取外した収納後の斜視図である。
【図９】本発明の肩掛け装着具の肩掛けフック部の蝶番を用いた収納例を示し、（ａ）は収納前、（ｂ）は肩掛けフック部を蝶番により折り曲げた収納後の斜視図である。
【図１０】本発明の肩掛け装着具の肩掛けフック部の前面に携帯端末を装着した状態を示した斜視図である。
【図１１】本発明の肩掛け装着具の肩掛けフック部の前面にライトを装着した状態を示した斜視図である。
【図１２】本発明の肩掛け装着具の肩掛けフック部の前面にペットボトルやカップを装着した状態を示した斜視図である。
【図１３】本発明の肩掛け装着具をそのままリュックサックに使用する第１の実施例を示した実装方法の斜視図である。
【図１４】本発明の肩掛け装着具をそのままリュックサックに使用する第２の実施例を示した実装方法の斜視図である。
【図１５】本発明の肩掛け装着具の一部をリュックサックに埋め込んで使用する第３の実施例を示した実装方法の斜視図である。
【図１６】本発明の肩掛け装着具の一部をリュックサックに埋め込んで使用する第４の実施例を示した実装方法の斜視図である。
【図１７】本発明の肩掛け装着具の全部をリュックサックに埋め込んで使用する第５の実施例を示した実装方法の斜視図である。
【発明を実施するための形態】
【実施例】
【００１２】
以下、本発明の実施の形態について、図面を参照して説明する。図１乃至図６は、リュックサックを背中に背負うための肩掛け装着具の実施例である。図１は、本発明の肩掛け装着具の第一実施例を示したものであり、肩掛け装着具１０は、金属又はプラスチックのような形状が維持できる素材で形成され、リュックサックの背中側に付着する肩掛け固定部１１と、肩掛け固定部１１の上端１１Ｕから上方に延びてから前方に湾曲し更に下方へ折れ曲がる逆Ｕ字形の肩掛けフック部１２、１３とからなる。なお、肩掛けフック部１２、１３の外側をやわらかいウレタンやスポンジなどで覆うと背負いやすくなる。
【００１３】
肩掛けフック部１２、１３は、肩掛け固定部１１を共通にして、共通にした肩掛け固定部１１の上端１１Ｕから左右２つに分かれて形成され、逆Ｕ字形の頂点部分１２Ｕ、１３Ｕを使用者の両肩に載置するものである。
【００１４】
図２は、第一実施例に示した肩掛け装着具に一部追加した第二実施例を示したものであり、肩掛け固定部１１の上端１１Ｕに引っ掛け部１１Ｖを設けたものであり、その他の構成は図１に示した第一実施例に準じる。
【００１５】
図３は、本発明の肩掛け装着具の第三実施例を示したものであり、肩掛け装着具２０は、金属又はプラスチックのような形状が維持できる素材で形成され、リュックサックの背中側に付着する肩掛け固定部２１と、肩掛け固定部２１の上端２１Ｕから上方に延びてから前方に湾曲し更に下方へ折れ曲がる逆Ｕ字形の肩掛けフック部２２とからなり、その肩掛け装着具２０を２つ備え、２つの逆Ｕ字形の肩掛けフック部２２の頂点部分２２Ｕを使用者の両肩に載置するものである。
【００１６】
図４は、リュックサックを背中に背負ったときに、身体全体への密着度を軽減して良好な装着状態を確保する肩掛け装着具３０を示したものであり、リュックサックの背中側に固定される肩掛け固定具３１は上下に段差３１Ｕ、３１Ｄを設け、段差３１Ｕ、３１Ｄの背中に当たる部分に凹部３２を形成し、身体全体への密着度を軽減して良好な装着状態を確保することが出来る。
【００１７】
図５は、第三実施例に示した肩掛け装着具において、２つの肩掛け装着具２０の肩掛け固定部２１を連結する連結板２３を備え、肩掛け固定部２１に穿設した穴と連結板２３に穿設した複数個の穴をネジ２３ａで止め２つの肩掛け装着具２０の間隔ｔを調整可能としたものである。
【００１８】
図６は、第三実施例に示した肩掛け装着具において、２つの肩掛け装着具２０の肩掛け固定部２１を連結する連結板２３を備え、肩掛け固定部２１に連結板２３を保持するホルダー２１ａを設け、ホルダー２１ａに保持された連結板２３をスライドさせて２つの肩掛け装着具２０の間隔ｔを調整可能としたものである。
【００１９】
図７〜図９は、乗り物に乗る際に、肩掛けフック部が邪魔にならないように、肩掛けフック部の収納例を示したものであり、図７は、図１に示した肩掛けフック部１２、１３の逆Ｕ字形の頂点部分１２Ｕ、１３Ｕで切断し、図７（ａ）に示すように、切断した側の肩掛けフック部１２ａ、１３ａと元の肩掛けフック部をホック１４、１５で回転自在に螺着し、乗り物に乗るときは、図７（ｂ）に示すように、切断した側の肩掛けフック部１２ａ、１３ａを横向きに回転させて収納する。
【００２０】
図８は、図１に示した肩掛けフック部１２、１３の逆Ｕ字形の頂点部分１２Ｕ、１３Ｕで切断し、図８（ａ）に示すように、切断した側の肩掛けフック部１２ｂ、１３ｂを元の肩掛けフック部に嵌め込む嵌合部１２ｃ、１３ｃにより嵌合し、乗り物に乗るときは、図８（ｂ）に示すように、切断した側の肩掛けフック部１２ｂ、１３ｂを取外して収納する。
【００２１】
図９は、図１に示した肩掛けフック部１２、１３の逆Ｕ字形の頂点部分１２Ｕ、１３Ｕと先端部分１２Ｄ、１３Ｄの２ヶ所で切断し、図９（ａ）に示すように、切断した側の肩掛けフック部１２ｄ、１２ｅ、１３ｄ、１３ｅを蝶番１２ｆ、１２ｇ、１３ｆ、１３ｇにより接合し、乗り物に乗るときは、図９（ｂ）に示すように、切断した側の肩掛けフック部１２ｄ、１２ｅ、１３ｄ、１３ｅを蝶番１２ｆ、１２ｇ、１３ｆ、１３ｇにより内側に折り曲げて収納する。
【００２２】
以上のように構成されたリュックサックの肩掛け装着具の作用を説明する。肩掛け装着具は、リュックサックを背中に背負うため使用者の肩などにかけられる左右の背負いベルトに代わるものであり、例えばプラスチック、金属等のように固定された形状を保持できる材料で形成される。図１の第一実施例に示すように、肩掛け装着具１０は、金属又はプラスチックのような形状が維持できる素材で形成され、リュックサックの背中側に付着する肩掛け固定部１１と、肩掛け固定部１１の上端１１Ｕから上方に延びてから前方に湾曲し更に下方へ折れ曲がる逆Ｕ字形の肩掛けフック部１２、１３とからなる。この肩掛けフック部１２、１３は、肩掛け固定部１１を共通にして、共通にした肩掛け固定部１１の上端１１Ｕから左右２つに分かれて形成され、逆Ｕ字形の頂点部分１２Ｕ、１３Ｕを使用者の両肩に載置するものである。
【００２３】
また、図２の第二実施例に示すように、肩掛け装着具１０は、一部を除いて第一実施例と同じ構成であり、異なるところは肩掛け固定部１１の上端１１Ｕに引っ掛け部１１Ｖを設けたことである。
【００２４】
更に、図３の第三実施例に示すように、肩掛け装着具２０は、金属又はプラスチックのような形状が維持できる素材で形成され、リュックサックの背中側に付着する肩掛け固定部２１と、肩掛け固定部２１の上端２１Ｕから上方に延びてから前方に湾曲し更に下方へ折れ曲がる逆Ｕ字形の肩掛けフック部２２とからなり、その肩掛け装着具２０を２つ備え、２つの逆Ｕ字形の肩掛けフック部２２の頂点部分２２Ｕを使用者の両肩に載置するものである。
【００２５】
リュックサックを背負うときは、左右の肩掛けフック部１２、１３を掴み、使用者の肩の上から覆い被せるようにして肩掛け装着具１０を使用者の両肩に載置する。リュックサックの重量は両肩に載置された肩掛けフック部１２、１３の逆Ｕ字形の頂点部分１２Ｕ、１３Ｕで支えるので、リュックサック本体に重い荷物が入っていたとしてもリュックサックが後ろへずり落ちないように支持することが出来る。また、リュックサックを背負う際に、腕を後に掛け回す必要はなくなるので、腕や肩に障害或いは怪我がある人でも背負う操作が容易になる。
【００２６】
リュックサックを背中から降ろすときは、リュックサックを背負ったときに使用者の身体の前面にくる左右の肩掛けフック部１２、１３を摘んで肩掛け装着具１０を持ち上げれば簡単にリュックサックを背中から降ろすことが出来る。
【００２７】
また、図３に示すように、リュックサックの背中側に付着する肩掛け固定部２１と、肩掛け固定部２１の上端２１Ｕから上方に延びてから前方に湾曲し更に下方へ折れ曲がる逆Ｕ字形の肩掛けフック部２２とからなる肩掛け装着具２０を２つ揃えたものにおいても、前述と同じように、リュックサックを背負ったり、背中から降ろす操作が容易になる。
【００２８】
また、身体全体への密着度を軽減して良好な装着状態を確保するためには、図４に示すように、リュックサックの背中側に固定される肩掛け固定具３１の上下に段差３１Ｕ、３１Ｄを設け、段差３１Ｕ、３１Ｄの背中に当たる部分に凹部３２を形成する。それによりリュックサックを背中に背負ったときに背中と凹部３２の間に空間ができ、身体全体への密着度を軽減して通気性の向上を図り、良好な装着状態を確保することが出来る。
【００２９】
リュックサックを子供用と大人用に使い分ける場合、肩掛け装着具の間隔ｔが子供用と大人用で変える必要がある。その場合、図５に示すように、２つの肩掛け装着具２０の肩掛け固定部２１を連結する連結板２３を用いて、子供用の場合は肩掛け固定部２１に穿設した穴と連結板２３に穿設した複数個の穴のうち内側の連結穴をネジ２３ａで止め２つの肩掛け装着具２０の間隔ｔを調整可能とすることにより、子供用にも大人用にも対応することが出来る。
【００３０】
また、図６に示すように、２つの肩掛け装着具２０の肩掛け固定部２１を連結する連結板２３と連結板２３を保持するホルダー２１ａを用いて、ホルダー２１ａに保持された連結板２３をスライドさせて２つの肩掛け装着具２０の間隔ｔを調整可能とすることにより、子供用にも大人用にも対応することが出来る。子供用と大人用だけでなく、女性用と男性用のような場合においても同様に対応することが出来る。
【００３１】
リュックサックを背負って飛行機や列車等の乗り物に乗る際に、肩掛けフック部が邪魔になる場合がある。その場合、図７乃至図９に示すように、肩掛けフック部を収納することが出来る。例えば、図７（ａ）に示すように、肩掛けフック部１２、１３を逆Ｕ字形の頂点部分１２Ｕ、１３Ｕで切断し、切断した側の肩掛けフック部１２ａ、１３ａと元の肩掛けフック部をホック１４、１５で螺着し、乗り物に乗るときは、図７（ｂ）に示すように、切断した側の肩掛けフック部１２ａ、１３ａを横向きに回転させて収納する。
【００３２】
また、図８（ａ）に示すように、肩掛けフック部１２、１３を逆Ｕ字形の頂点部分１２Ｕ、１３Ｕで切断し、切断した側の肩掛けフック部１２ｂ、１３ｂを元の肩掛けフック部に嵌め込む嵌合部１２ｃ、１３ｃにより嵌合し、乗り物に乗るときは、図８（ｂ）に示すように、切断した側の肩掛けフック部１２ｂ、１３ｂを取外して収納する。
【００３３】
また、図９（ａ）に示すように、肩掛けフック部１２、１３を逆Ｕ字形の頂点部分１２Ｕ、１３Ｕと先端部分１２Ｄ、１３Ｄの２ヶ所で切断し、切断した側の肩掛けフック部１２ｄ、１２ｅ、１３ｄ、１３ｅを蝶番１２ｆ、１２ｇ、１３ｆ、１３ｇにより接合し、乗り物に乗るときは、図９（ｂ）に示すように、切断した側の肩掛けフック部１２ｄ、１２ｅ、１３ｄ、１３ｅを蝶番１２ｆ、１２ｇ、１３ｆ、１３ｇにより内側に折り曲げて収納する。
【００３４】
以上、説明したように、本発明の肩掛け装着具は、使用者の肩などにかけられる左右の背負いベルトに代わるものであり、プラスチック、金属等のように固定された形状を保持できる材料で形成された肩掛けフック部を使用者の両肩に載置してリュックサックを背負う構成としたので、リュックサック本体が下方にズリ落ちていくのを防止することが出来る。そのため、その特徴を活かして、今までにない使い方ができる。例えば、肩掛けフック部１３の前面に補助板Ａを装着する補助板装着部Ｂを設け、図１０に示すように、補助板Ａに携帯電話、スマートホンのような携帯端末Ｃを装着したり、図１１に示すように、補助板ＡにライトＤを装着したり、図１２に示すように、補助板Ａにペットボトルやカップ等の器物Ｅを装着すれば、両手をフリーにして使用することが出来る。
【００３５】
次に、本発明の肩掛け装着具の実装方法について、図１３乃至図１７を参照して説明する。図１３は、図１に示した肩掛け装着具１０をそのままリュックサックに使用する第１実施例を示したもので、金属又はプラスチックのような形状が維持できる素材で形成され、リュックサックの背中側に付着する肩掛け固定部１１と肩掛け固定部１１の上端１１Ｕから２つに分岐して上方に延びてから前方に湾曲し更に下方へ折れ曲がる逆Ｕ字形の肩掛けフック部１２、１３とからなる肩掛け装着具１０の肩掛け固定部１１に鋲穴を設け、リュックサックの背中側から鋲穴に鋲Ｑを打ち込んで固定して肩掛け装着具１０を装着する実装方法である。
【００３６】
図１４は、図２に示した肩掛け装着具１０をそのままリュックサックに使用する第２実施例を示したもので、金属又はプラスチックのような形状が維持できる素材で形成され、リュックサックの背中側に付着する肩掛け固定部１１と肩掛け固定部１１の上端１１Ｕから２つに分岐して上方に延びてから前方に湾曲し更に下方へ折れ曲がる逆Ｕ字形の肩掛けフック部１２、１３とからなる肩掛け装着具１０の肩掛け固定部１１の上端１１Ｕに引っ掛け部１１Ｖを設け、引っ掛け部１１Ｖにリュックサック本体Ｒの頂部に設けた把手Ｔを引っ掛けて肩掛け装着具１０を装着する実装方法である。
【００３７】
図１５は、図１に示した肩掛け装着具１０の一部をリュックサックに埋め込んで使用する第３実施例を示したもので、金属又はプラスチックのような形状が維持できる素材で形成され、リュックサックの背中側に付着する肩掛け固定部１１と肩掛け固定部１１の上端１１Ｕから２つに分岐して上方に延びてから前方に湾曲し更に下方へ折れ曲がる逆Ｕ字形の肩掛けフック部１２、１３とからなる肩掛け装着具１０のうち、肩掛け固定部１１の部分をリュックサックの背中側の素材Ｓ１に埋め込んで肩掛け装着具１０を装着する実装方法である。
【００３８】
図１６は、図２に示した肩掛け装着具２０の一部をリュックサックに埋め込んで使用する第４実施例を示したもので、金属又はプラスチックのような形状が維持できる素材で形成され、リュックサックの背中側に付着する肩掛け固定部２１と肩掛け固定部２１の上端２１Ｕから上方に延びてから前方に湾曲し更に下方へ折れ曲がる逆Ｕ字形の肩掛けフック部２２とからなる肩掛け装着具２０を２つ備え、２つの肩掛け装着具２０のうち、肩掛け固定部２１の部分をリュックサックの背中側の素材Ｓ２に埋め込んで肩掛け装着具２０を装着する実装方法である。
【００３９】
図１７は、図１に示した肩掛け装着具１０の全部をリュックサックに埋め込んで使用する第５実施例を示したもので、金属又はプラスチックのような形状が維持できる素材で形成され、リュックサックの背中側に付着する肩掛け固定部１１と肩掛け固定部１１の上端１１Ｕから２つに分岐して上方に延びてから前方に湾曲し更に下方へ折れ曲がる逆Ｕ字形の肩掛けフック部１２、１３とからなる肩掛け装着具１０の肩掛け固定部及び肩掛けフック部の両方ともリュックサックの素材Ｓ１、Ｓ３に埋め込んで肩掛け装着具１０を装着する実装方法である。
【００４０】
以上説明したように、本発明によれば、リュックサックを背中に背負うため、金属又はプラスチックのような形状が維持できる素材で形成され、リュックサックの背中側に付着する肩掛け固定部と肩掛け固定部を共通にして、共通にした肩掛け固定部の上端から左右２つに分かれ、上方に延びてから前方に湾曲し更に下方へ折れ曲がる逆Ｕ字形の肩掛けフック部とからなり、逆Ｕ字形の肩掛けフック部の頂点部分を使用者の肩に載置してリュックサックを背負う肩掛け装着具において、肩掛けフック部は、逆Ｕ字形の頂点部分と先端部分の２ヵ所で切断し、切断した両者を蝶番により内側に折れ曲がるようにして接合したので、リュックサックを背中に背負ったり、背中から降ろす場合の操作性を向上することが出来るとともに、乗り物に乗る際の不具合を防止することが出来る。
【符号の説明】
【００４１】
１０  肩掛け装着具
１１  肩掛け固定部
１１Ｕ  肩掛け固定部１１の上端
１２、１３  肩掛けフック部
１４、１５  ホック
１２ａ、１３ａ  切断した肩掛けフック部
１２ｂ、１３ｂ  切断した肩掛けフック部
１２ｃ、１３ｃ  嵌合部
１２ｄ、１２ｅ、１３ｄ、１３ｅ  切断した肩掛けフック部
１２ｆ、１２ｇ、１３ｆ、１３ｇ  蝶番
２０  肩掛け装着具
２１  肩掛け固定部
２１Ｕ  肩掛け固定部２１の上端
２２  肩掛けフック部
２３  連結板
３０  肩掛け装着具
３１  肩掛け固定具
３１Ｕ、３１Ｄ  段差
３２  凹部
Ａ  補助板
Ｂ  補助板装着部
Ｃ  携帯端末
Ｄ  ライト
Ｅ  ペットボトルやカップ等の器物
Ｒ  リュックサック本体
Ｓ１、Ｓ２、Ｓ３  リュックサックの素材
Ｔ  把手  
【図１】
2018079328.tif 000003
【図２】
2018079328.tif 000004
【図３】
2018079328.tif 000005
【図４】
2018079328.tif 000006
【図５】
2018079328.tif 000007
【図６】
2018079328.tif 000008
【図７】
2018079328.tif 000009
【図８】
2018079328.tif 000010
【図９】
2018079328.tif 000011
【図１０】
2018079328.tif 000012
【図１１】
2018079328.tif 000013
【図１２】
2018079328.tif 000014
【図１３】
2018079328.tif 000015
【図１４】
2018079328.tif 000016
【図１５】
2018079328.tif 000017
【図１６】
2018079328.tif 000018
【図１７】
2018079328.tif 000019